(57)【要約】【課題】搬送や組み立てが容易にでき、取り扱いに要する手間や時間を大幅に削減して、作業性を大幅に向上させることができる階段のステージ及びその設置方法を提供する。【解決手段】上下に重ね合わされた状態に固定されて形成される複数のステージ形成部材からなり、階段の下部若しくは中間部分に形成されるステージにおいて、各ステージ形成部材は枠体の一方の面にステップ面を張設してなり、枠体の大きさを上部の枠体が下部の枠体の内方に嵌合する大きさにして内外に嵌合させて収納できるようにする。【選択図】図１
2008050840.tif 000002
【特許請求の範囲】
【請求項１】
上下に重ね合わされた状態に固定されて形成される複数のステージ形成部材からなり、階段の下部若しくは中間部分に形成されるステージにおいて、各ステージ形成部材は枠体の一方の面にステップ面を張設してなり、枠体の大きさを上部の枠体が下部の枠体の内方に嵌合する大きさにしてあることを特徴とする階段のステージ。
【請求項２】
上下に重ね合わされた状態に固定されて形成される複数のステージ形成部材からなるステージが、下段のステージ形成部材の下面が床面に設置されるものである請求項１に記載の階段のステージ。
【請求項３】
ステージが階段の中間位置に踊り場として設けられている請求項１に記載の階段のステージ。
【請求項４】
予め形成され、内外に収納された複数の枠体から所望する段数の枠体を選び、外嵌した枠体にステップ面を張設し、当該張設されたステップ面に内嵌した枠体を載置固定し、当該載置固定された枠体にステップ面を張設するとともに、当該ステップ面若しくはその近傍に階段を連結したことを特徴とする階段のステージの設置方法。
【発明の詳細な説明】
【技術分野】
【０００１】
本発明は屋内に設置される階段のステージとその設置方法に関するものである。
【背景技術】
【０００２】
例えば２階建て以上の家屋を建築する場合、柱、壁、床や階段等の建築部材を標準化し、工場で大量に生産したのち、設計図に合わせて現場で組み立てる所謂プレハブ方式が多く用いられている。
ところが、こうしたものでは例えば階段の場合、特許文献に示されるように標準化された建築部材を半完成の状態に組み立てた状態で運ばれることが多く、こうした場合、大きく嵩張り、運送や組み付け時の取り扱いに多大の手間と時間を要し、作業性が大幅に低下し、製造コストが高くなってしまうという問題があった。
【０００３】
特に、階段の下端と床面との間に複数のステップ面を有するステージを設けるものでは階段とステージとが一体化された状態で取り扱われることが多く、上記問題は顕著になる。
そこで、複数のステップ面を有するステージを設ける場合、複数のステージ形成部材を個別に搬送することにより階段の嵩を小さくすることも考えられるが、運送する部品点数が増え、その分手間も増加してしまうという問題もある。
【特許文献１】特開２００３−２３９４８３号公報
【発明の開示】
【発明が解決しようとする課題】
【０００４】
そこで、問題点に鑑み、搬送や組み立てが容易にでき、取り扱いに要する手間や時間を大幅に削減して、作業性を大幅に向上させることができる階段のステージ及びその設置方法を提供することを目的とするものである。
【課題を解決するための手段】
【０００５】
上記目的を達成するために先ず、本発明にかかる階段のステージは、上下に重ね合わされた状態に固定されて形成される複数のステージ形成部材からなり、階段の下部若しくは中間部分に形成されるステージにおいて、各ステージ形成部材は枠体の一方の面にステップ面を張設してなり、枠体の大きさを上部の枠体が下部の枠体の内方に嵌合する大きさにしてあることを最も主要な特徴とするものである。
【０００６】
次に、本発明にかかる階段のステージでは、上下に重ね合わされた状態に固定されて形成される複数のステージ形成部材からなるステージが、下段のステージ形成部材の下面が床面に設置されるもの、あるいは、ステージが階段の中間位置に踊り場として設けられていることも特徴とするものである。
【０００７】
また、本発明にかかる階段のステージの設置方法は、予め形成され、内外に収納された複数の枠体から所望する段数の枠体を選び、外嵌した枠体にステップ面を張設し、当該張設されたステップ面に内嵌した枠体を載置固定し、当該載置固定された枠体にステップ面を張設するとともに、当該ステップ面若しくはその近傍に階段を連結したことを最も主要な特徴とするものである。
【発明の効果】
【０００８】
本発明は、上下に重ね合わされた状態に固定されて形成される複数のステージ形成部材からなり、階段の下部若しくは中間部分に形成されるステージであって、内外に収納可能な複数の枠体から所望する段数の枠体を選び、外嵌した大形の枠体にステップ面が張設され、この張設されたステップ面上にこれまで内嵌した枠体を載置固定し、この載置固定された枠体にステップ面を張設するのを繰り返すとともに、当該ステップ面若しくはその近傍に階段を連結するようにしてあるので、使用する複数の枠体を内外に嵌合させて収納した状態で収納若しくは生産工場から建築現場への運送することができるので、嵩張らず、その取り扱いがいたって便利なものにすることができる利点がある。
【０００９】
これにより、運送や組み付け時の取り扱いに要する手間と時間を大幅に削減できるので、作業性を格段に向上させることができ、製造コストの低減を図ることができる利点がある。
【発明を実施するための最良の形態】
【００１０】
以下本発明にかかる好ましい実施の形態を図面に基づいて説明する。
図１は、屋内に配設された階段部分の斜視図、図２は階段部分の平面図であって、図中符号１は階段を全体的に示す。
この階段１は、上端部分が２階の床面２と１階の床面３とにわたって設けられるもので、片面部分に手摺り４が設けられた階段部分５と、この階段部分５の下端で１階の床面３との間に介在させたステージ６とからなる。
【００１１】
上記階段部分５は、水平のステップ部材７とこのステップ部材７を支える所定の高さの垂直面８とを複数連続させた状態で設けて形成されており、ステップ部材７と垂直面８とは木製となっている。
上記手摺り４は、階段部分５の各ステップ部材７から木製の中間用支柱９を立設し、中間支柱９の上端部が２階の床面２と階段部分５の下端近傍からそれぞれ立ち上げられた親柱１０との間に架着された木製の手摺り部材１１の下面を支えるようになっている。
【００１２】
階段部分５の下端で１階の床面３との間に設けられるステージ６は、ステージ形成部材１２ａ・１２ｂ・１２ｃを上・中・下の３段に重ねて形成されており、各段のステージ形成部材１２ａ・１２ｂ・１２ｃは図３乃至図９に示すように後述する枠体１３ａ・１３ｂ・１３ｃと、枠体１３ａ・１３ｂ・１３ｃの上面に固定されるステップ面１４とからなっている。
図３は上・中・下３段の各ステージ形成部材１２ａ・１２ｂ・１２ｃを形成する枠体１３ａ・１３ｂ・１３ｃを裏面から見た斜視図、図４は下段のステージ形成部材１２ａを形成する枠体１３ａ部分の平面図、図５は中段のステージ形成部材１２ｂを形成する枠体１３ｂ部分の平面図、図６は上段のステージ形成部材１２ｃを形成する枠体１３ｃ部分の平面図である。
【００１３】
下段のステージ形成部材１２ａの枠体１３ａ部分は木製の四角な枠１５・１５を上下に対峙させ、両枠１５・１５間を縦桟材１６で連結するとともに、ステップ面１４を形成する側の枠（図３では、下方の枠）１５に補強用の木製の横桟材１７が複数架着してあり、階段１の下端部分が連結される側（図３及び図４では右側）の横桟材１７と枠１５との間には補強用の補助桟材１８が複数本設けてある。
【００１４】
中段のステージ形成部材１２ｂの枠体１３ｂ部分は上記下段のステージ形成部材１２ａの枠体１３ａ部分と略同様に、木製の四角な枠１９・１９を上下に対峙させ、両枠１９・１９間を縦桟材２０で連結するとともに、ステップ面１４を形成する側の枠（図３では、下方の枠）１９に補強用の木製の横桟材２１が複数架着してあり、階段１の下端部分が連結される側（図３及び図４では右側）の横桟材２１と枠１９との間には補強用の補助桟材が複数本設けてある。
【００１５】
上段のステージ形成部材１２ｃの枠体１３ｃ部分は上記下段及び中段の各ステージ形成部材１２ａ・１２ｂの枠体部分１３ａ・１３ｂと略同様に、木製の四角な枠２３・２３を上下に対峙させ、両枠２３・２３間を縦桟材２４で連結するとともに、ステップ面１４を形成する側の枠（図３では、下方の枠）２３に補強用の木製の横桟材２５を複数架着してある。
上記中段及び上段の縦桟材１６・２０は下段の縦桟材２４より長く形成され、各ステージ６部分の１段の高さは中段及び上段の高さが階段部分５の１段と略等しく下段がそれよ
りも低くなっている。
また、図４及び図５中に点線で示す位置２６は手摺り４の親柱１０が設置される位置を示している。
【００１６】
なお、上・中・下３段の各ステージ６部分を形成する上記枠体１３ａ・１３ｂ・１３ｃ部分の大きさは、図１及び図２でわかるように、中段の枠体１３ｂは、下段の枠体１３ａ部分との間にステップを形成する分小さく、上段の枠体１３ｃは、中段の枠体１３ｂとステップウィ形成する分小さく形成され、斯かる大きさの差部分で、それぞれ階段部分が形成される。
これにより、図７及び図８に示すように上段の枠体１３ｃ部分は中段の枠体１３ｂ部分の内方に、中段の枠体１３ｂ部分は下段の枠体１３ａ部分の内方にそれぞれ収納することが可能となる。
【００１７】
以上のように形成されたステージ形成部材１２ａ・１２ｂ・１２ｃで階段１のステージ６を組み付ける手順を次に説明する。
家屋の設計図が完成するとこれに合わせて階段１の配置やデザイン等が決定される。
そしてこの時、設計図に基づいて、階段１やステージ６の段数が決められ、階段１並びにステージ６が製作される。
階段１の製作については、規格化された部材により、上述したように水平のステップ部材７とこのステップ部材７を支える所定の高さの垂直面８とを複数連続させた状態で側板等の階段形成用構造体２７に取り付けるように形成される。
【００１８】
ステージ６の製作は、生産工場に規格化されたステージ６形成用の枠体１３ａ・１３ｂ・１３ｃ・・・が、例えば図７及び図８に示すように、下方の枠体１３ａの内方に収納された状態に予め積み重ねられており、この積み重ねられた枠体１３ａ・１３ｂ・１３ｃ・・・の中から、所望する段数の枠体１３ａ・１３ｂ・１３ｃを取り出し、生産工場から建築現場に搬送される。
このとき、各枠体１３ａ・１３ｂ・１３ｃは図７及び図８に示すように下方の枠体１３ａの内方に順次収納された状態にすることにより嵩張らず、一つの荷姿として搬送乃至取り扱いができるので、その手間や費用を節減することができる。
【００１９】
建築現場では、先ず、一階の床面３に設置される下段用のとなる大形の枠体１３ａを、その補強用の横桟材１７が設けられた側の面を上にして床面３に固定する。
次に、図９に示すように床面３に固定された下段用の枠体１３ａの上面に、ステップ面１４を形成する平板部材２８と、枠体１３ａの露出する側面に化粧板２９を取り付ける。
そして、このステップ面１４を形成する平板部材２８の上に中段用の枠体１３ｂを、その補強用の横桟材２１等が設けられた側の面を上にして、下段のステップ面１４に固定した後、中段用の枠体１３ｂの上面部分にステップ面１４を形成する平板部材２８と、露出する枠体１３ｂの側面に化粧板２９を取り付ける。
【００２０】
同様にして中段のステップ面１４を形成する平板部材２８の上に上段用の小形の枠体１３ｃを、その補強用の横桟材２１等が設けられた側の面を上にして、中段のステップ面１４に固定し、上段用の枠体１３ｃの上面部分にステップ面１４を形成する平板部材２８と、露出する枠体１３ｃの側面に化粧板２９を取り付けた後、階段１の下端部が上段のステップ面１４に固定され、図４乃至図６に点線で示す位置２６に立設された階段１の手摺り用の親柱１０に手摺り部材１１取り付けられると、階段１が完成する。
【００２１】
なお、上記実施の形態ではステージ６を３段にしてあるが、その段数は２段であっても４段以上であっても同様にして本発明を実施することができるのはいうまでもないことである。
また、上記実施の形態ではステージ６を形成する部材を木製にしてあるが、こうしたものに限られず、その一部若しくは全部を合成樹脂製や金属製にすることができるのは勿論のことである。
更に、上記実施の形態では階段１の下にステージ６を設けるようにしてあるが、階段１の中間部分に形成される踊り場にも本発明を実施することができる。
【図面の簡単な説明】
【００２２】
【図１】は本発明にかかる屋内に配設された階段部分の斜視図である。
【図２】は本発明にかかる階段部分の平面図である。
【図３】は本発明にかかる屋内に配設された階段部分のステージを形成する枠体の分解図        である。
【図４】は本発明にかかるステージを形成する下段の枠体の平面図である。
【図５】は本発明にかかるステージを形成する中段の枠体の平面図である。
【図６】は本発明にかかるステージを形成する上段の枠体の平面図である。
【図７】は本発明にかかるステージを形成する生産工場内でのストック時及び搬送時の状        態を示す正面図である。
【図８】は本発明にかかるステージを形成する生産工場内でのストック時及び搬送時の状        態を示す斜視図である。
【図９】は本発明にかかる枠体でステージを形成する手順を示す分解斜視図である。
【符号の説明】
【００２３】
１・・・階段
２・・・２階の床面
３・・・１階の床面
４・・・手摺り部分
５・・・階段部分
６・・・ステージ
７・・・ステップ部材
１２ａ・１２ｂ・１２ｃ・・・ステージ形成部材
１３ａ・１３ｂ・１３ｃ・・・枠体
１４・・・ステップ面
【図１】
2008050840.tif 000003
【図２】
2008050840.tif 000004
【図３】
2008050840.tif 000005
【図４】
2008050840.tif 000006
【図５】
2008050840.tif 000007
【図６】
2008050840.tif 000008
【図７】
2008050840.tif 000009
【図８】
2008050840.tif 000010
【図９】
2008050840.tif 000011